(57)【要約】【課題】多チャンネル記憶システムを提供する。【解決手段】制御ユニット１１を備え、制御ユニット１１は、複数の固体メモリ１２１、１２２、１２３と電気的に接続され、固体メモリ１２１、１２２、１２３は非揮発性メモリである。制御ユニット１１によって複数の固体メモリ１２１、１２２、１２３は統合されて容量が加算された統合メモリを構成し、単一の記憶システム１がシミュレートされる。制御ユニット１１と電気的に接続される複数の接続インターフェース１３１、１３２が設けられ、記憶システム１に複数の相互に対応する入出力チャンネルが形成される。各接続インターフェース１３１、１３２を介して制御ユニットにより統合されたメモリとして機能する。【選択図】図２
2009277215.tif 000002
【特許請求の範囲】
【請求項１】
複数の固体メモリ、制御ユニットおよび複数の接続インターフェースを備え、
前記複数の固体メモリは、データの記録媒体として使用され、
前記制御ユニットは、前記複数の固体メモリと電気的に接続されて前記複数の固体メモリを単一の記憶システムに統合して前記記憶システムへのアクセスを制御し、
前記複数の接続インターフェースは、前記制御ユニットと電気的に接続されて複数のデータ伝送経路を形成することを特徴とする多チャンネル記憶システム。
【請求項２】
前記固体メモリは、フラッシュメモリであることを特徴とする請求項１記載の多チャンネル記憶システム。
【請求項３】
前記複数の接続インターフェースは、シリアルＡＴＡ（ＳＡＴＡ）であることを特徴とする請求項１記載の多チャンネル記憶システム。
【請求項４】
前記複数の接続インターフェースは、パラレルＡＴＡ（ＩＤＥ）であることを特徴とする請求項１記載の多チャンネル記憶システム。
【請求項５】
前記複数の接続インターフェースの数量は、２つであることを特徴とする請求項１記載の多チャンネル記憶システム。
【発明の詳細な説明】
【技術分野】
【０００１】
本発明は、記憶システムに関し、特に、固体メモリから構成される記憶システムに関する。
【背景技術】
【０００２】
コンピュータは、非常に高い処理能力を有し、主に、データを記録媒体に記録し、記録媒体がコンピュータメインフレームと接続されて実行および計算を行ない、最後に、計算結果を記録媒体に記録しなおすものである。また、他にも様々な用途に使用される。
【０００３】
現在、コンピュータの記録媒体は、主に、ハードディスクドライブおよび光ディスクドライブであり、ハードディスクドライブは、大容量のメモリ空間を有し、光ディスクは、携帯可能であるという長所を有するので、この2つの記録媒体がコンピュータの記録媒体の主流となっている。
【０００４】
しかしながら、上述の2つの記録媒体は、ともに機械構造を有し、主に、磁気ヘッドを往復運動させるとともに、磁気ディスクおよび光ディスクを回転させ、磁気ヘッドがディスク上の様々な区域において、書き込みおよび読み取りを行なうものである。しかし、この種の機械構造は、磁気ヘッドとディスクとの機械的作用に依存するものであるので、アクセス時間が長くかかり、アクセス時間および速度の上で、制限および障害があった。
【０００５】
半導体産業が発展する時代において、コンピュータ設備の機能も高まっているが、コンピュータの記録媒体は、機械式の構造が有する限界を打破することができず、そのために、コンピュータの記録媒体へのアクセス速度は過度に遅く、データアクセスがコンピュータの処理速度に対応できないという重大な欠点があった。コンピュータメインフレームがアクセスコマンドを出し、記録が完了するまで長時間かかるために、コンピュータメインフレームが待機する時間が長くなりすぎ、処理時間が浪費されていた。従って、固体メモリの出現は、コンピュータ記録媒体の一大革命であった。
【０００６】
フラッシュメモリ（Ｆｌａｓｈ  ｍｅｍｏｒｙ）などの固体メモリは、主に、電荷作用を媒介として記録を行なうものである。フローティングゲート（Ｆｌｏａｔｉｎｇ  ｇａｔｅ）と電子移動との組み合わせによって、メモリの記録状態を変更するものである。電子の移動速度は、非常に速いので、固体メモリへのアクセス速度も非常に高速であり、コンピュータメインフレームの高速の処理能力に対応することができる。また、固体メモリは、非揮発性メモリ（Ｎｏｎ−ｖｏｌａｔｉｌｅ  ｍｅｍｏｒｙ）であり、電源をオフにした後もデータが消去されない。従って、固体メモリは、新しい時代の記録媒体となっている。
【０００７】
しかし、コンピュータのハードおよび記録媒体の機能は高まったが、コンピュータメインフレームと記録媒体とを接続する接続インターフェースは、依然としてシリアルＡＴＡ（ＳＡＴＡ）およびパラレルＡＴＡ（ＩＤＥ）の２種にとどまっており、大きな技術革新は見られない。この２種類の接続インターフェースの伝送速度は、従来の機械式のハードディスクへのアクセス速度にしか対応できない。従って、コンピュータの処理能力が高まり、固体メモリがそれに対応できるようになったとしても、両者間の接続インターフェースの速度が遅ければ、データ伝送時、伝送チャンネルに待ち行列される時間が長くなり、伝送時間が多大に浪費される状況が発生する。
【先行技術文献】
【特許文献】
【０００８】
【特許文献１】特開２００８−２０４１７２号公報
【特許文献２】特表平１０−５０７０２３号公報
【発明の概要】
【発明が解決しようとする課題】
【０００９】
本発明の目的は、記憶システムの接続インターフェースの技術が大きな発展を見せない状況下で、記憶システムと、記憶システムと接続された外部コンピュータの間に複数の伝送チャンネルを設けることによって、データの伝送速度を加速させ、記憶システムおよび外部コンピュータの作業効率をバランスさせることができる多チャンネル記憶システムを提供することにある。
【課題を解決するための手段】
【００１０】
上述の目的を達成するために、本発明は、制御ユニットを備え、制御ユニットは、複数の固体メモリと電気的に接続される。固体メモリは非揮発性メモリである。制御ユニットによって複数の固体メモリが統合され、容量が加算された統合メモリが形成され、単一の記憶システムがシミュレートされる。また、制御ユニットと電気的に接続される複数の接続インターフェースが設けられ、記憶システムに複数の相互に対応する入出力チャンネルが形成される。各接続インターフェースのデータ伝送量がバランスされることによって、記憶システムへのデータアクセス時の処理速度が高められる。
【発明の効果】
【００１１】
第１の接続インターフェースに伝送されているデータまたは伝送待ちのデータが過多な場合や流量が過大となって記憶システムまたは外部コンピュータがアイドル状態またはタイムアウトになったとき、制御ユニットは、記憶システムを制御して余剰データの伝送を他のアイドル状態の接続インターフェース（例えば、第２の接続インターフェース）に切り換える。これによって、接続インターフェースは、大量のデータを伝送させることができ、データの伝送速度を加速させ、また、記憶システムおよび外部コンピュータの作業効率をバランスさせることができる。
【図面の簡単な説明】
【００１２】
【図１】本発明の内部構造を示すブロック図である。
【図２】本発明の接続状態を示す模式図である。
【発明を実施するための形態】
【００１３】
本発明の目的、特徴および効果を示す実施例を図に沿って詳細に説明する。
【００１４】
図１は、本発明の内部構造を示すブロック図である。図に示すように、本発明の記憶システム１は、主に、制御ユニット１１および複数の固体メモリ１２１、１２２、１２３を備える。本発明において、複数の固体メモリは、フラッシュメモリ（Ｆｌａｓｈ  ｍｅｍｏｒｙ）であり、その数量は３つを例とするが、これは本発明の一実施例を示すものであり、これに限定されない。複数の固体メモリ１２１、１２２、１２３は、制御ユニット１１と電気的に接続され、制御ユニット１１によって１つの容量が加算された記憶システム１として統合される。制御ユニット１１は、複数の接続インターフェース１３１、１３２と電気的に接続され、記憶システム１は、複数の接続インターフェース１３１、１３２を通じて外部コンピュータ２と接続され、外部コンピュータ２は、データを記憶システム１内に記録したり、記憶システム１からデータを読み取ったりすることができる。本実施例における複数の接続インターフェースは、第１の接続インターフェース１３１および第２の接続インターフェース１３２を例として説明しているが、数量は２つに制限されない。
【００１５】
図２は、本発明の接続状態を示す模式図である。本発明の記憶システム１は、第１の接続インターフェース１３１および第２の接続インターフェース１３２によって、外部コンピュータ２と接続される。２つの接続インターフェース１３１、１３２は、シリアルＡＴＡ（ＳＡＴＡ）またはパラレルＡＴＡ（ＩＤＥ）とすることができるが、これらに限定されない。外部コンピュータ２が記憶システム１内のデータにアクセスしたいとき、書き込みまたは読み取りコマンドを出し、記憶システム１がコマンドを受信した後、データの伝送を開始する。外部コンピュータ２は、まず、アイドル状態の接続インターフェースを探す（例えば、第１の接続インターフェース１３１を使用してデータの伝送を行なう）。第１の接続インターフェース１３１に伝送されているデータまたは伝送待ちのデータが過多な場合や流量が過大となって記憶システム１または外部コンピュータ２がアイドル状態またはタイムアウトになったとき、制御ユニット１１は、記憶システム１を制御して余剰データの伝送を他のアイドル状態の接続インターフェース（例えば、第２の接続インターフェース１３２）に切り換える。これによって、接続インターフェースは、大量のデータを伝送させることができ、データの伝送速度を加速させ、また、記憶システム１および外部コンピュータ２の作業効率をバランスさせることができる。
【００１６】
以上の詳細な説明は、本発明の好適な実施例を示すものであり、本発明の特許請求の範囲を制限するものではなく、本発明の内容を運用した同等効果の変更は全て本発明に含まれる。
【符号の説明】
【００１７】
１  記憶システム
１１  制御ユニット
１２１、１２２、１２３  固体メモリ
１３１、１３２  接続インターフェース
２  外部コンピュータ
【図１】
2009277215.tif 000003
【図２】
2009277215.tif 000004